(57)【要約】  【課題】現地で組み立てて構築されるノックダウン式の家具において、軽量化を図りつつ支持構造体自体の剛性を確保する。  【解決手段】単独で運搬可能な支持構造体１Ａ、１Ｂと、これら支持構造体１Ａ、１Ｂに支持される家具機能要素である天板２、側板３及び幕板４とを備えた家具であるテーブルＴにおいて、前記支持構造体１Ａ、１Ｂが、枠材２１、２３、２５、２７により構成された枠部５と、面材２９により構成された面板部６と、この面板部６に前記枠部５の複数個所を剛結する連結部７〜９とを具備してなる構成を採用する。【選択図】図８
2020048924.tif 000002
【特許請求の範囲】
【請求項１】
単独で運搬可能な支持構造体と、この支持構造体に支持される家具機能要素とを備えた家具であって、
前記支持構造体は、枠材により構成された枠部と、面材により構成された面板部と、この面板部に前記枠部の複数個所を剛結する連結部とを具備してなる家具。
【請求項２】
前記枠材は、非金属材料を主体に構成されたものである請求項１記載の家具。
【請求項３】
前記枠材は、断面長方形の角材であり、前記枠部は、共通の角材を用いて構成されている請求項２記載の家具。
【請求項４】
前記面材は、対をなす外面板間に空間形成用のコアを介在させたフラッシュ構造をなすものである請求項１、２又は３記載の家具。
【請求項５】
前記連結部が、一端を前記枠部に結合し且つ他端を前記面板部に結合した枠材及び面材の少なくとも一方を用いて構成されたものである請求項１、２、３又は４記載の家具。
【請求項６】
前記支持構造体と前記家具機能要素とを連結する連結ブラケットを備え、この連結ブラケットにオプションを取付けるためのオプション取付部が設けられている請求項１、２、３、４又は５記載の家具。
【請求項７】
前記家具機能要素が、天板である請求項１、２、３、４、５又は６記載の家具。
【発明の詳細な説明】
【技術分野】
【０００１】
本発明は、現地で組み立てて構築されるノックダウン式の家具に関するものである。
【背景技術】
【０００２】
従来、この種の家具として、例えば、単独で運搬可能な支持構造体と、この支持構造体上に取り付けられて支持される天板と、前記支持構造体の側面に着脱可能に取り付けられる幕板等を備えたものが知られている（例えば、特許文献１を参照）。
【０００３】
このような家具は、前記支持構造体、天板及び幕板等が、それぞれ独立した状態で梱包され保管されており、それぞれを現場に運搬し搬入して組み立てるようになっている。
【０００４】
ところで、従来の支持構造体は、基本的に枠構造をなすものであるため、全体形状にゆがみが生じ易い。そのため、従来のものはアングル材やチャンネル材と称される金属材料を溶接等により剛結して運搬時や使用時等にゆがみが発生するのを抑えている。
【０００５】
ところが、鋼材等の金属材料により作られた支持構造体は、比較的重量が大きくなる傾向があり、運搬や現場搬入に多大な労力を要することになる。
【先行技術文献】
【特許文献】
【０００６】
【特許文献１】特開２０１７−９９７３５号公報
【発明の概要】
【発明が解決しようとする課題】
【０００７】
本発明は、軽量化を図りつつ支持構造体自体の剛性を確保することを目的とする。
【課題を解決するための手段】
【０００８】
請求項１記載の発明に係る家具は、単独で運搬可能な支持構造体と、この支持構造体に支持される家具機能要素とを備えた家具であって、前記支持構造体は、枠材により構成された枠部と、面材により構成された面板部と、この面板部に前記枠部の複数個所を剛結する連結部とを具備してなるものである。
【０００９】
請求項２記載の発明に係る家具は、請求項１記載のものにおいて、前記枠材が、非金属材料を主体に構成されたものである。
【００１０】
請求項３記載の発明に係る家具は、請求項２記載のものにおいて、前記枠材が、断面長方形の角材であり、前記枠部が、共通の角材を用いて構成されているものである。
【００１１】
請求項４記載の発明に係る家具は、請求項１、２又は３記載のものにおいて、前記面材が、対をなす外面板間に空間形成用のコアを介在させたフラッシュ構造をなすものである。
【００１２】
請求項５記載の発明に係る家具は、請求項１、２、３又は４記載のものにおいて、前記連結部が、一端を前記枠部に結合し且つ他端を前記面板部に結合した枠材及び面材の少なくとも一方を用いて構成されたものである。
【００１３】
請求項６記載の発明に係る家具は、請求項１、２、３、４又は５記載のものにおいて、前記支持構造体と前記家具機能要素とを連結する連結ブラケットを備え、この連結ブラケットにオプションを取付けるためのオプション取付部が設けられているものである。
【００１４】
請求項７記載の発明に係る家具は、請求項１、２、３、４、５又は６記載のものにおいて、前記家具機能要素が、天板であるものである。
【発明の効果】
【００１５】
本発明によれば、軽量化を図りつつ支持構造体自体の剛性を確保することができる。
【図面の簡単な説明】
【００１６】
【図１】本発明の第一実施形態に係る家具を示す全体斜視図。
【図２】同実施形態に係る家具を示す正面図。
【図３】同実施形態に係る家具を示す平面図。
【図４】同実施形態に係る家具を示す底面図。
【図５】同実施形態に係る家具を示す側面図。
【図６】同実施形態に係る枠材を拡大して示す断面図。
【図７】図２におけるＡ−Ａ線に沿った拡大断面図。
【図８】同実施形態に係る家具を示す分解斜視図。
【図９】図８におけるＢ部拡大図。
【図１０】図８におけるＣ部拡大図。
【図１１】図８におけるＤ部拡大図。
【図１２】図８におけるＥ部拡大図。
【図１３】同実施形態の支持構造体を含む主要部を拡大して示す斜視図。
【図１４】本発明の第二実施形態に係る家具を示す全体斜視図。
【図１５】同実施形態に係る家具を示す分解斜視図。
【図１６】同実施形態に係る支持構造体、天板及び側板の接続部を示す分解斜視図。
【図１７】同実施形態の支持構造体を拡大して示す斜視図。
【図１８】同実施形態の支持構造体間の接続部を拡大して示す分解斜視図。
【発明を実施するための形態】
【００１７】
＜第一実施形態＞（図１〜図１３）
この実施形態は、本発明を家具であるテーブルＴに適用した場合のものである。
【００１８】
このテーブルＴは、図１〜図５及び図７〜図８に示すように、直列に連結された２組の支持構造体１Ａ、１Ｂと、これら支持構造体１Ａ、１Ｂ上に配設された家具機能要素である天板２と、支持構造体１Ａ、１Ｂの外方端にそれぞれ配設された家具機能要素である側板３と、各支持構造体１Ａ、１Ｂに着脱可能に装着された家具機能要素である幕板４とを具備している。
【００１９】
支持構造体１Ａ、１Ｂは、図４、図７、図８及び図１３に示すように、いずれも単独で運搬可能なユニットであり、枠材により構成された枠部５と、面材２９により構成された面板部６と、この面板部６に前記枠部５の複数個所を剛結する連結部７〜９とを具備してなる。
【００２０】
枠部５は、図７、図８、図１０、図１２及び図１３に示すように、アジャスタ２１ａを備えた下の枠材２１と、下の枠材２１の両端部に立設された端の枠材２３と、下の枠材２１の中間部に立設された中間の枠材２５と、これら中間の枠材２５及び端の枠材２３上に架設された上の枠材２７とを相互に剛結したものである。各枠材２１、２３、２５、２７は、それぞれ非金属材料、具体的には木材を主体に構成されたものである。これらの枠材２１、２３、２５、２７は、断面長方形の角材である。この枠部５は、共通の角材Ｎを用いて構成されている。この実施形態では、各枠材２１、２３、２５、２７を構成する角材Ｎは、例えば、図６に示すように、断面において３０ｍｍ×５０ｍｍの単板積層材（ＬＶＬ）にラッピング処理を施したものである。換言すれば、この角材Ｎは、木目を同一方向にそろえた複数の層Ｎ１を有したものであり、その外面にラッピング材Ｎ２が巻装されたものである。各枠材２１、２３、２５、２７は、図示しないダボと接着剤を用いて相互に剛結されている。
【００２１】
面板部６は、図７、図８、図１０、図１２及び図１３に示すように、前述した枠部５の外形に対応した外形を有する１枚の面材２９により構成されている。この面材２９は、対をなす外面板３１間に空間形成用のコア３３を介在させたフラッシュ構造をなすものであり、外面板３１の周縁部同士は補強芯材３５により結合されている。面板２９の下面には、アジャスタ２９ａが備えられている。なお、補強芯材３５は周縁部のみならず、補強が必要な箇所に配されており、枠材と同じく木製のものである。
【００２２】
以上説明した枠部５と面板部６とは、下の連結部７と中間の連結部８と上の連結部９とによって相互に連結されている。
【００２３】
下の連結部７は、図７、図８及び図１３に示すように、一端を枠部５に結合し且つ他端を面板部６に結合した面材３７を用いて構成されたものである。この面材３７は、上面板３９と下面板４１との間に空間形成用のコア４３を介在させたフラッシュ構造をなすものであり、上面板３９及び下面板４１の周縁部同士は補強芯材４５により結合されている。下の連結部７と枠部５との結合、及び下の連結部７と面板部６との結合は、それぞれ図示しないダボと接着剤とを用いて行われている。
【００２４】
中間の連結部８は、図７、図８、図１０、図１２及び図１３に示すように、一端を枠部５の端の枠材２３又は中間の枠材２５に結合し且つ他端を面板部６に結合した複数本の連結枠材４７、４９を用いて構成されたものである。端の連結枠材４７は、配線挿通用の半円弧状をなす凹陥部４７ｘを備えたもので、その上面に当該支持構造体１Ａ、１Ｂと天板２とを結合するための金属製の上下連結用の連結ブラケット１０の下の水平取付片１０ａが図示しないネジを用いてネジ止めされている。なお、この実施形態においては、一方の支持構造体１Ａは、側板３側の端部のみに連結ブラケット１０が設けられており、他方の支持構造体１Ｂは、両端部に連結ブラケット１０が設けられている。各連結枠材４７、４９と枠部５との結合、及び各連結枠材４７、４９と面板部６との結合は、それぞれ図示しないダボと接着剤とを用いて行われている。
【００２５】
上の連結部９は、図７、図８、図１０、図１２及び図１３に示すように、一端を枠部５の上の枠材２７に結合し且つ他端を面板部６に結合した複数本の連結枠材５１を用いて構成されたものである。上の連結部９の各連結枠材５１の両端近傍部には、天板２取付用のネジが挿通されるネジ挿通孔５１ａがそれぞれ設けられている。各連結枠材５１と枠部５との結合は、それぞれ図示しないダボと接着剤とを用いて行われている。ここで、中間の連結部８及び上の連結部９を構成する各連結枠材４７、９、５１は、枠部５を構成する各枠材２１、２３、２５、２７と同一の角材を用いて形成されている。
【００２６】
この実施形態では、図１３に示すように、２組の支持構造体１Ａ、１Ｂがボルト状のネジＢ１、Ｂ２を用いて直列に横連結され、２枚の天板２を支持している。２３ａは、枠部５の端の枠材２３に設けられたネジ挿通孔であり、これらのネジ挿通孔２３ａに挿通させたネジＢ１により両支持構造体１Ａ、１Ｂの枠部５同士が横連結されている。６ｃは、面板部６の接合端面６ａと凹陥部６ｂの内面との間に形成されたネジ挿通孔であり、これらのネジ挿通孔６ｃに挿通させたネジＢ２により両支持構造体１Ａ、１Ｂの面板部６同士が横連結されている。
【００２７】
前述した連結ブラケット１０は、板金製のもので、扁平なチャンネル状をなしており、図１３に示すように、その上下方向中間位置にオプション取付部であるネジ挿通孔１０ｘが設けられている。また、連結ブラケット１０の上下両端部には、図１０及び図１３に示すように、水平取付片１０ａ、１０ｂが一体に形成されている。下の水平取付片１０ａは、支持構造体１Ａ、１Ｂの中間の連結部８上に載設されており、その中間の連結部８を構成する端の連結枠材４７に図示しないネジを用いて止着されている。上の水平取付片１０ｂは、天板２の下面に添設されており、天板２に図示しないネジを用いて止着されている。このように支持構造体１Ａ、１Ｂと天板２とは、前述のように直接上下連結されているだけでなく、これら連結ブラケット１０を介して上下連結されてもいる。
【００２８】
天板２は、前後両端を使用端としたもので、図１、図４及び図７に示すように、その前後方向中央部分が支持構造体１Ａ、１Ｂにより支持されている。この天板２は木製板状のもので、図７に示すように、下面における両端近傍部に横連結用の凹陥部２ｘを備えている。そして、当該天板２の接合端面２ａと凹陥部２ｘの内面との間にはネジ挿通孔２ｙが形成されており、そのネジ挿通孔２ｙに挿通させたボルト状のネジＢ３を用いて隣接する天板２同士が横連結されている。また、天板２の下面における前述した支持構造体１Ａ、１Ｂの上の連結部９を構成する連結枠材５１に設けられた各ネジ挿通孔５１ａに対応する部位には、鬼目ナット等と称される図示しない埋設ナットが設けられており、図７に示すように、連結枠材５１のネジ挿通孔５１ａに下から挿通させたネジＢ４を対応する埋設ナットに螺着することによって天板２が支持構造体１Ａ、１Ｂ上に固定されている。なお、天板２の下面における連結ブラケット１０に対応する部位にも図示しない埋設ナットが設けられており、連結ブラケット１０の上の水平取付片１０ｂに設けられた、図１０及び図１２に示すようなネジ挿通孔１０ｙに挿通させて図示しないネジを天板２の図示しない埋設ナットに螺着することによって、天板２が連結ブラケット１０上にも固定されている。また、天板２の前後方向中央における左右両端には、後述するオプション１１を取付けるための角形をなす切欠部２ｚが形成されている。
【００２９】
側板３は、支持構造体１Ａ、１Ｂ及び天板２の開放端面を塞ぐもので、天板２の奥行寸法に対応する幅を有した厚板状のものである。側板３の支持構造体１Ａ、１Ｂに対応する部位、及び天板２に対応する部位には、図示しない埋設ナットが設けられており、図１０に示すような支持構造体１Ａ、１Ｂの開放端面１ｎに開口させたネジ挿通孔２３ａ、６ｃ及び天板２の開放端面２ｂに開口させたネジ挿通孔２ｙを通して埋設ナットに螺着した図示しないネジによって、この側板３が、支持構造体１Ａ、１Ｂの開放端面１ｎと天板２の開放端面２ｂに取り付けられている。なお、図８に示すように、天板２の切欠部２ｚに対応する側板３の内面側には、オプションを取付けるための竪溝３ｘが形成されている。また、この側板３の下面における前後両端部には、アジャスタ３ａが備えられている。
【００３０】
幕板４は、図１、図２、図７及び図８に示すように、平板状のもので、下端部内面に左、右対をなす掛止部５３が設けられているとともに、上端部内面に左右対をなす取付金具５５が取着されている。掛止部５３は、突起５７の先端に垂下金具５９を止着してなる鉤形のもので、枠部５における下の枠材２１に上から掛止し得るようになっている。図７における６１は、幕板４の本体に突起５７を位置決め固定するためのダボであり、６３は、突起５７及び垂下金具５９を幕板４の本体に止着するための止着具である。取付金具５９は、ボルト挿通孔５９ａを有する上端を幕板４の上端よりも上方に延出させた状態で、当該幕板４に止着されたもので、前面側からボルト挿通孔５９ａに挿通させたボルトを枠部５における上の枠材２７に埋設された埋設ナット２７ｘに螺着することにより、幕板４の上端側を着脱可能に取り付けることができるようになっている。なお、上の枠材２７の前面の長手方向両端部には、取付金具が遊嵌し得る凹陥部２７ａがそれぞれ形成されており、各凹陥部２７ａに埋設ナット２７ｘが配されている。
【００３１】
オプション１１は、例えば、やぐらタイプのもので、図１〜図３、図５及び図８に示すように、天板２と側板３との接合部分に立設された端のポスト７１と、天板２同士の接合部分に立設された中間のポスト７３と、中間のポスト７３と端のポスト７１の上端間に架設されたビーム７５とを備えたものである。詳述すれば、図１に示すように、天板２と側板３との接合部分には、天板２に形成された切欠部２ｚと側板３に形成された竪溝３ｘとによって平面視四角形をなす取付け孔Ｈが形成されており、この取付け孔Ｈに端のポスト７１の下端部を上から挿入するようになっている。端のポスト７１は、角柱パイプ状をなすアルミ押出材製のもので、取付け孔Ｈに上から差し込んで嵌合させることができるようになっている。取付け孔Ｈに嵌合させたポスト７１の下端は支持構造体１Ａ、１Ｂの中間の連結部８を構成する端の連結枠材４７上に当接して係止されるものであり、その係止状態でポスト７１の下端部が連結ブラケット１０に添接する。すなわち、図１０に示すように、ポスト７１の下端部には、ネジ挿通孔７１ｘが形成されており、係止状態でそのネジ挿通孔７１ｘが連結ブラケット１０のオプション取付部であるネジ挿通孔１０ｘに合致するように設定されている。しかして、合致したネジ挿通孔７１ｘ、１０ｘに挿通させたネジＢ５によりポスト７１が連結ブラケット１０に緊締固着されている。また、天板２同士の接合部分には、図１及び図１２に示すように、両天板２に形成された切欠部２ｚによって平面視四角形をなす取付け孔Ｈが形成されており、この取付け孔Ｈに中間のポスト７３の下端部を上から挿入するようになっている。中間のポスト７３も角柱パイプ状のもので、前述した端のポスト７１に準じた構成により連結ブラケット１０に緊締固着されている。ビーム７５は、ポスト７１、７３よりも幅広なアルミ押出材製のもので、下面にポスト７１、７３の幅に対応する図示しない下向き溝を備えており、その下向きの端部にポスト７１、７３の上端部を嵌合させた上で両者をねじ止めして結合している。下向き溝のポスト７１、７３間に位置する部位には、図示しない配線ダクト等が収容されている。７７はこの配線ダクトに関連する電源プラグ、７９は、支持構造体１Ａ、１Ｂの内部空間からビーム内を通して外部あるいは配線ダクト等に導かれる電力系のケーブル、８１は通信系のケーブルである。
【００３２】
以上説明した第一実施形態の構成によれば、各支持構造体１Ａ、１Ｂが、枠材により構成された枠部５だけではなく、面材２９により構成された面板部６と、この面板部６に前記枠部５の複数個所を剛結する連結部７〜９とを備えている。そのため、枠構造の一部に枠の変形を阻止する面材２９が存在することになり、全体としてひずみが生じにくい高剛性の構造体が出来上がっている。その結果、枠材２１、２３、２５、２７を強度の高い金属製のものにすることなしに運搬等の際に変形しにくい支持構造体１Ａ、１Ｂを得ることができる。したがって、支持構造体１Ａ、１Ｂ自体を軽量化することが容易になり、運搬や現場への搬入に多大な労力を要するという従来の問題を解消することができる。
【００３３】
＜第二実施形態＞（図１４〜図１８）
この実施形態は、本発明を家具であるカウンターＫに適用した場合のものである。
【００３４】
このカウンターＫは、図１４及び図１５に示すように、３組の支持構造体１Ｃ、１Ｄ、１Ｅと、これら支持構造体１Ｃ、１Ｄ、１Ｅ上に配設された家具機能要素である天板２Ｃ、２Ｄ、２Ｅと、支持構造体１Ｃ、１Ｄ、１Ｅの外方端にそれぞれ配設された家具機能要素である側板３と、各支持構造体１Ｃ、１Ｄ、１Ｅに着脱可能に装着された家具機能要素である幕板３Ｃ、３Ｄ、３Ｅとを具備している。
【００３５】
３組の支持構造体１Ｃ、１Ｄ、１Ｅの内、２組の支持構造体１Ｃ、１Ｄは相互に直交配置された直線タイプのものであり、１組の支持構造体１Ｅはこれら直線タイプの支持構造体１Ｃ、１Ｄ間に介在させた屈曲タイプのものである。
【００３６】
直線タイプの支持構造体１Ｃ、１Ｄは、図１５、図１７及び図１８に示すように、第一実施形態の一方の支持構造体１Ａに準じた構成のものであり、同一又は相当する部分には同一の符号を付して説明を省略する。この支持構造体１Ｃ、１Ｄが第一実施形態の一方の支持構造体１Ａと異なっている点を説明すれば次のとおりである。
【００３７】
この直線タイプの支持構造体１Ｃ、１Ｄにおいては、図１５及び図１７に示すように、面板部６の面材２９の上縁部に配線導出入口２９ｘが設けられおり、その配線導出入口２９ｘには蓋体１０１が開閉可能に配されている。そして、この配線導出入口２９ｘに対応する支持構造体１Ｃ、１Ｄの内部には、配線受け１０３が水平な姿勢で配されている。この面板部２９の側板３に対する横連結は、Ｌ状に屈曲する連結金具１０５を介して行われるようになっており、横連結用のボルトを挿入するための凹陥部は備えていない。この面板部６の隣接する支持構造体１Ｅの面板部６に対する横連結は、図１８に示すように、平板状の連結金具１０７を介して行われるようになっている。Ｂ６はこの連結金具の両端部を各面板部６に螺着するためのネジである。
【００３８】
屈曲タイプの支持構造体１Ｅは、単独で運搬可能なユニットであり、図１５及び図１８に示すように、枠材２１、２３、２５、２７により構成された枠部５と、面材２９により構成された面板部６と、この面板部６に前記枠部５の複数個所を剛結する連結部７〜９とを具備してなる。
【００３９】
枠部５は、アジャスタ２１ａを備えた２本の下の枠材２１と、下の枠材２１のそれぞれの端部に立設された端の枠材２３と、下の枠材２１の中間部に立設された中間の枠材２５と、これら中間の枠材２５及び端の枠材２３上に架設された２本の上の枠材２７とを相互に剛結したものである。なお、２本の下の枠材２１同士、及び２本の上の枠材２７同士は、それぞれ直角に配した状態で剛結されている。各枠材２１、２３、２５、２７は、第一実施形態のものと同じであるため、説明を省略する。
【００４０】
面板部６は、直角に剛結させた２枚の面材２９により構成されている。これらの面材２９は、第一実施形態のものと同じくフラッシュ構造をなすものであり、両面材２９同士は、ダボと接着剤を用いて剛結されている。
【００４１】
以上説明した枠部５と面板部６とは、下の連結部７と中間の連結部８と上の連結部９とによって相互に連結されている。
【００４２】
下の連結部７は、一端を枠部５に結合し且つ他端を面板部６に結合した２枚の面材３７を用いて構成されたものである。これらの面材３７は、第一実施形態のものと同じくフラッシュ構造をなすものである。
【００４３】
中間の連結部８は、一端を枠部５の端の枠材２３に結合し且つ他端を面板部６に結合した２本の連結枠材４７と、外側縁側を枠部５の中間の枠材２５に結合するとともに内縁側を面板部６の両面材２９に結合した水平面材９１を用いて構成されたものである。水平面材９１は、配線挿通用の円形孔９１ａを備えたもので、その上面に当該支持構造体１Ｅと天板２Ｅとを結合するための金属製の上下連結ブラケット１０の下の水平取付片１０ａが図示しないネジを用いてネジ止めされている。各連結枠材４７及び水平面材９１と枠部５との結合、及び各連結枠材４７及び水平面材９１と面板部６との結合は、それぞれ図示しないダボと接着剤とを用いて行われている。
【００４４】
上の連結部９は、一端を枠部５の上の枠材２７に結合し且つ他端を面板部６に結合した複数本の連結枠材５１を用いて構成されたものである。上の連結部９の各連結枠材５１の両端近傍部には、天板取付用のネジが挿通されるネジ挿通孔５１ａがそれぞれ設けられている。各連結枠材５１と枠部５との結合は、それぞれ図示しないダボと接着剤とを用いて行われている。ここで、各連結部７〜９を構成する各連結枠材４７、５１は、枠部４の各枠材２１、２３、２５、２７と同一の角材Ｎを用いて構成されている。なお、５２は２本の上の枠材２７が交わる隅部に設けられた枠材であり、天板取付用のネジが挿通されるネジ挿通孔５２ａが設けられている。
【００４５】
天板２Ｃ、２Ｄ、２Ｅは、前端を使用端２ｐとしたもので、図１５に示すように、反使用端２ｑ側の片半部分が支持構造体１Ｃ、１Ｄ、１Ｅにより支持されている。すなわち、直線タイプの支持構造体１Ｃ、１Ｄ上に設けられる各天板（以下、「直線タイプの天板」という）２Ｃ、２Ｄは、対応する支持構造体１Ｃ、１Ｄの横幅寸法に対応した横幅を有する平面視長方形状の木製品であり、第一実施形態の支持構造体１Ａ、１Ｂに準じた位置に図示しない連結用の凹陥部と横連結用ネジ挿通孔２ｙが設けられている。天板２Ｃ、２Ｄの下面における前述した支持構造体１Ｃ、１Ｄの上の連結枠材５１に設けられた各ネジ挿通孔５１ａに対応する部位には、図示しない埋設ナットが設けられており、連結枠材５１のネジ挿通孔５１ａに下から挿通させた図示しないネジを対応する埋設ナットに螺着することによって天板２Ｃ、２Ｄが対応する支持構造体１Ｃ、１Ｄ上に固定されている。なお、天板２Ｃ、２Ｄの下面にける連結ブラケット１０に対応する部位にも埋設ナットが設けられており、連結ブラケット１０の上の水平取付片１０ｂに設けられたネジ挿通孔１０ｙに挿通させた図示しないネジを図示しない埋設ナットに螺着することによって、天板２Ｃ、２Ｄが連結ブラケット１０上にも固定されている。なお、天板２Ｃ、２Ｄの側板側の端面２ｎには、後述するオプション１１を取付けるための切欠部２ｚが形成されている。
【００４６】
一方、屈曲タイプの支持構造体１Ｅ上に設けられる天板（以下、「屈曲タイプの天板」という）２Ｅは、その支持構造体１Ｅに対応して屈曲する平面視形状を有する木製品であり、その一端に一方の直線タイプの天板２Ｃが横連結されるとともに、他端に他方の直線タイプの天板２Ｄが横連結されている。この屈曲タイプの天板２Ｅも、端部付近における直線タイプの天板２Ｃ、２Ｄに準じた位置に図示しない連結用の凹陥部と図示しない横連結用ネジ挿通孔が設けられている。天板２Ｅの下面における前述した支持構造体１Ｅの上の連結枠材５１に設けられた各ネジ挿通孔５１ａに対応する部位には、図示しない埋設ナットが設けられており、連結枠材５１のネジ挿通孔５１ａに下から挿通させたネジを対応する埋設ナットに螺着することによってこの天板２Ｅが対応する屈曲タイプの支持構造体１Ｅ上に固定されている。なお、天板２Ｅの下面にける連結ブラケット１０に対応する部位にも図示しない埋設ナットが設けられており、連結ブラケット１０の上の水平取付片１０ｂに設けられたネジ挿通孔１０ｙに挿通させたネジを埋設ナットに螺着することによって、天板２Ｅが連結ブラケット１０上にも固定されている。
【００４７】
側板３は、第一実施形態の側板３に準じた構成のものであり、同一又は相当する部分には同一の符号を付して説明を省略する。これらの側板３が第一実施形態の側板３と異なっている点としては、図１４及び図１５に示すように、奥行寸法がカウンター用の天板２Ｃ、２Ｄの奥行に対応させて短くなっていることや、支持構造体１Ｃ、１Ｄの面板部６との横連結構造が異なっていることに起因して埋設ナットの位置が異なっていること等を挙げることができる。
【００４８】
幕板４Ｃ〜４Ｅは、第一実施形態の幕板４と同じ基本構造をなすものであるため、詳細な説明は省略する。なお、屈曲タイプの支持構造体１Ｅに装着される幕板４Ｅは、中央で直角に屈曲しているため、直線タイプの支持構造体１Ｃ、１Ｄに装着される幕板４Ｃ、４Ｄと外観が異なっているが、基本構造は同じである。しかして、この幕板４Ｃ〜４Ｅも下端部内面に設けた鉤形をなす掛止部３１を支持構造体１Ｅの下の枠材２１に上から掛止した上で取付け金具３３を支持構造体１Ｅにネジ止めすることにより、当該屈曲タイプの支持構造体１Ｅに着脱可能に装着されている。
【００４９】
オプション１１は、第一実施形態に準じた構成をなすやぐらタイプのものであり、同一又は対応する部分に同一の符号を付して詳細な説明を省略する。このオプション１１が第一実施形態のオプション１１と異なっている点を説明すれば次のとおりである。
【００５０】
このオプション１１も、図１４及び図１５に示すように、天板２Ｃ、２Ｄと側板３との接合部分に立設された端のポスト７１と、中間のポスト７３と、中間のポスト７３と端のポスト７１の上端間に架設されたビーム７５とを備えたものであるが、この実施形態のものは、中間のポスト７３を屈曲タイプの天板２Ｅの中央に立設している。すなわち、屈曲タイプの天板２Ｅには平面視四角形をなす取付け孔Ｈが形成されており、この取付け孔Ｈに中間のポスト７３の下端部を上から挿入するようになっている。取付け孔Ｈに挿入された中間のポスト７３の下端は支持構造体１Ｅの水平面材９１上に当接して係止される。ポスト７３の下端部には、ネジ挿通孔７３ｘが形成されており、係止状態でそのネジ挿通孔７３ｘが連結ブラケット１０の取付け部に形成されたネジ挿通孔１０ｘに合致するように設定されている。しかして、合致したネジ挿通孔１０ｘに挿通させたネジによりポスト７３が連結ブラケット１０に緊締固着されている。なお、ポスト７３を連結ブラケット１０に取り付けた状態では、ポスト７３の四角形をなす下端開口部が水平面材９１に穿設された円形孔９１ｙに対応することになり、ポスト７３内の空間が、円形孔９１ｙを介して支持構造体１Ｅの内部空間１ｓと連通するようになっている。各支持構造体１Ｃ、１Ｄ、１Ｅの内部空間１ｓは相互に連通しており、配線ダクト等として機能させることができる。
【００５１】
このオプション１１には、各種のサブオプションをビーム７５に支持させて取り付けることができるが、この実施形態では、サブオプションとして棚ユニット１２と、パーティクルボードを主体にした間仕切ユニット１３が装着されている。
【００５２】
以上説明した第二実施形態の構成によれば、各支持構造体１Ｃ、１Ｄ、１Ｅが、枠材２１、２３、２５、２７により構成された枠部５だけではなく、面材２９により構成された面板部６と、この面板部６に前記枠部５の複数個所を剛結する連結部７〜９とを備えている。そのため、枠構造の一部に枠部５の変形を阻止する面材２９が存在することになり、全体としてひずみが生じにくい高剛性の構造体が出来上がっている。その結果、枠材２１、２３、２５、２７を強度の高い金属製のものにすることなしに運搬等の際に変形しにくい支持構造体を得ることができる。
【００５３】
すなわち、直線タイプの支持構造体１Ｃ、１Ｄは、前面、背面、左右の側面、上面、及び底面を有する枠構造体をなすが、その背面が面材２９により補強されるため、枠構造全体の歪みを効果的に抑えることができる。一方、屈曲タイプの支持構造体１Ｅは、直交する２つの前面、直交する２つの背面、左右の側面、上面、及び底面を有する枠構造体をなすが、その２つの背面が直交状態で剛結された２枚の面材２９により補強されるため、枠構造全体の歪みをより効果的に抑えることができる。したがって、各支持構造体１Ｃ、１Ｄ、１Ｅ自体を軽量化することが容易になり、運搬や現場への搬入に多大な労力を要するという従来の問題を解消することができる。
【００５４】
＜他の実施形態＞
以上説明した第一実施形態においては、支持構造体が枠構造の一面のみに面材を配した場合について説明したが、２面以上に面材を配したものにしてもよい。第二実施形態は、枠構造の二面に面材を配置した一例を示しているが、隣接しない2面に面材を配したり、３面以上に面材を配してもよい。
【００５５】
また、第一実施形態では、２組の支持構造体を横連結したテーブルについて説明したが、１組、あるいは３組以上の支持構造体を連結したテーブルにも本発明を適用することができる。
【００５６】
さらに、第二実施形態では、２組の直線タイプの支持構造体と、１組の屈曲タイプの支持構造体を組み合わせて平面視Ｌ形となるカウンターについて説明したが、屈曲タイプの支持構造体を無くして直線タイプの支持構造体のみを複数横連結して真っすぐなカウンターを構築したり、屈曲タイプの支持構造体を２組使用するとともに直線タイプの支持構造体を増加させて平面視コ字状をなすカウンターを構築したりする等、種々変形が可能である。
【００５７】
その他、本発明の趣旨を損ねない範囲で種々変形してよい。
【符号の説明】
【００５８】
Ｔ…家具（テーブル）
Ｋ…家具（カウンター）
１、１Ｃ〜１Ｅ…支持構造体
２、２Ｃ〜２Ｅ…家具機能要素（天板）
３…家具機能要素（側板）
４、４Ｃ〜４Ｅ…家具機能要素（天板）
５…枠部
６…面板部
７〜９…連結部
【図１】
2020048924.tif 000003
【図２】
2020048924.tif 000004
【図３】
2020048924.tif 000005
【図４】
2020048924.tif 000006
【図５】
2020048924.tif 000007
【図６】
2020048924.tif 000008
【図７】
2020048924.tif 000009
【図８】
2020048924.tif 000010
【図９】
2020048924.tif 000011
【図１０】
2020048924.tif 000012
【図１１】
2020048924.tif 000013
【図１２】
2020048924.tif 000014
【図１３】
2020048924.tif 000015
【図１４】
2020048924.tif 000016
【図１５】
2020048924.tif 000017
【図１６】
2020048924.tif 000018
【図１７】
2020048924.tif 000019
【図１８】
2020048924.tif 000020